(57)【特許請求の範囲】
【請求項１】
通話機能を有する携帯通信装置であって、
信号を送受信する送受信手段と、
映像信号を出力する撮像手段と、
音声信号を出力する集音手段と、
前記撮像手段から出力された映像信号を記憶する映像記憶手段と、
前記集音手段から出力された音声信号を記憶する音声記憶手段と、
前記映像信号と前記音声信号の多重化を指示する多重化指示手段と、
前記多重化指示手段から指示があった場合に、前記映像記憶手段および前記音声記憶手段から前記映像信号と前記音声信号を読み出し、多重化した映像音声信号を生成する多重化手段と、
前記映像音声信号を記録媒体に記録する記録手段と、
を備えていることを特徴とする携帯通信装置。
【請求項２】
撮影可能な方向と集音可能な方向が異なるように、前記撮像手段および集音手段は設けられていることを特徴とする請求項１に記載の携帯通信装置。
【請求項３】
前記集音手段は、前記音声記憶手段に記憶される音声信号を出力する場合および通話する場合に用いられることを特徴とする請求項１に記載の携帯通信装置。
【請求項４】
前記集音手段は、集音感度を切り替える切替手段を有し、前記音声記憶手段に記憶される音声信号を出力する場合および通話する場合に、前記集音感度を切り替えることを特徴とする請求項１に記載の携帯通信装置。
【請求項５】
前記多重化手段は、前記映像記憶手段および音声記憶手段から読み出した前記映像信号および音声信号をパケット化し、連結することを特徴とする請求項２ないし請求項４のいずれか１項に記載の携帯通信装置。
【発明の詳細な説明】
【０００１】
【発明の属する技術分野】
本発明は、映像及び音声を記録再生する装置に関する。特に、ＭＰＥＧ等の圧縮技術を用いた録画及び録音と、確認のための再生を繰り返し行うことが可能なアフレコ装置およびこれを用いた携帯通信装置に関する。
【０００２】
【従来の技術】
カメラ等の撮像装置で映像を記録するとともに、撮影者のナレーション等の音声を併せて記録する場合に、撮影時に的確なナレーションが加えられないと、撮影後に音声を後で記録する（以下、アフレコという）ことが必要になる。
【０００３】
このアフレコを容易に行うことを目的とし、あらかじめ空き領域を設けた映像音声ファイルを作成し、この空き領域を用いてアフレコを記録する方法が特開平１１−２５９９９２号公報に記載されている。
【０００４】
【発明が解決しようとする課題】
しかし、上記公報に記載された方法では、予め空き領域を複数用意することが必要なため、記憶領域を効率的に利用することができないという問題がある。特に、携帯電話が備えることができる記憶容量は限られるため、予め空き部分を設けて記録していくと、実質的な記録領域が少なくなってしまう。
【０００５】
また、アフレコを何回もやり直す場合には、映像データに対応した所望の場所に記録できなくなるという問題がある。携帯電話では、映像を記録するカメラと音声を記録するマイク部が反対側についていることが多く、被写体そのものの音声や、被写体の背景から発生する音声を記録することは困難である。このため、映像を撮影後に、ユーザが気に入るまで何回もアフレコにより音声を入れ替える可能性が高い。
【０００６】
複数回のアフレコにより空き領域がなくなった場合、映像と音声が多重化したファイルを一旦、映像と音声に分離し、音声を修正後に再び多重化することが必要となる。この場合、映像音声ファイルを記録、再生、および修正するたびにデコードからエンコードにいたるすべての回路、あるいはソフトウェアを駆動する必要がある。これらの処理はプロセッサにとって負荷の大きく、消費電力を大きくする要因である。携帯電話においては、電話としての待ちうけ時間や通話時間を優先して確保する必要があるため、消費電力を軽減する必要がある。
【０００７】
本発明は、消費電力を抑制しつつ、容易にアフレコをすることが可能な携帯通信装置を提供することを目的とする。
【０００８】
【課題を解決するための手段】
本発明にかかる携帯通信装置は、信号を送受信する送受信手段と、映像信号を出力する撮像手段と、音声信号を出力する集音手段と、前記撮像手段から出力された映像信号を記憶する映像記憶手段と、前記集音手段から出力された音声信号を記憶する音声記憶手段と、前記映像記憶手段および前記音声記憶手段から前記映像信号と前記音声信号を読み出し、多重化した映像音声信号を生成する多重化手段と、前記映像音声信号を記録媒体に記録する記録手段と、を備える構成とする。
【００１０】
【発明の実施の形態】
以下、この発明の一実施形態について図１及び図２を参照しながら説明する。
【００１１】
図１は、本発明の実施形態にかかる記録装置のブロック図である。１は映像エンコーダ、２は音声エンコーダ、３は多重化回路、４は分離化回路、５は映像デコーダ、６は音声デコーダである。７はカメラ、８はマイク、９はディスプレイ、１０はスピーカである。１１は、映像ファイル１２、音声ファイル１３、映像音声ファイル１４を有するメモリである。３０は、多重化回路による多重化の指示を与える指示手段である。尚、多重化回路３や分離化回路４は、ソフトウエアにより実行するようにしてもよい。また、カメラ７やマイク８等は、図１のように記録装置内に設けることに限定するものではない。記録装置に、接続して用いる別の構成としても良い。
【００１２】
まず、記録動作について説明する。カメラ７の映像を映像エンコーダ１がエンコードし、映像ファイル１２としてメモリ１１に記録する。マイク８の音声は、音声エンコーダ２がエンコードし音声ファイル１３としてメモリ１１に記録する。記録内容を確認するために、映像ファイル１２をメモリ１１から読出し、映像デコーダ５でデコードしてディスプレイ９に映像を表示する。また、それと並行して音声ファイル１３をメモリ１１から読出し、音声デコーダ６でデコードしてスピーカ１０から音声を再生する。これにより、音声ファイルを修正する、すなわちアフレコ動作を実行する必要があるか否かを確認することができる。
【００１３】
アフレコ動作時は、映像ファイル１２をメモリ１１から読出し、映像デコーダ５でデコードしてディスプレイ９に映像を表示する、それと並行してマイク８の音声入力を音声エンコーダ２でエンコードして音声ファイル１３を置きかえる。確認動作とアフレコ動作を繰り返して修正が不要になった時点で、ユーザが多重化指示手段３０により多重化の指示を入力し、この指示に基づき保存動作をおこなう。尚、多重化指示手段は、指示ボタンとして設けても良い。また、アフレコ動作ごとにディスプレイ９に「メモリに記憶しますか」等の表示を出力し、その表示に対するユーザの入力に基づき、保存動作を行うように設定しても良い。
【００１４】
保存動作時、映像ファイル１２と音声ファイル１３を読出し、多重化３によって、映像、及び音声ファイルをひとかたまりが数秒程度毎にパケット化する。これらのパケットを交互に連結し、図２に示すような１つの映像音声ファイル１４を生成し、メモリ１１に記録する。映像音声ファイル１４をメモリ１１に記録すると、映像ファイル１２、及び音声ファイル１３は消去する。
【００１５】
本実施形態によれば、メモリ１１に映像ファイル１２と音声ファイル１３を別々に設けているため、アフレコ動作および確認のための再生動作毎に、多重化・分離化処理を行う必要がない。そのため、消費電力を抑制しつつ、繰り返しアフレコを行うことができる。また、前述のように、映像ファイル１２と音声ファイル１３を別に設け、保存する際に多重化するため、何度もアフレコを行う場合であっても、記録領域に効率的に記録することができる。
【００１６】
尚、本実施形態では、映像ファイル１２及び音声ファイル１３は、それぞれエンコード後のデータであるが、カメラ７の出力をエンコードせずにそのまま映像ファイル１２としてもよい。また、マイク８の出力をエンコードせずにそのまま音声ファイル１３としてもよい。この場合は、一時使用するメモリ容量は増大するものの、映像エンコーダ１、音声エンコーダ２は、保存動作時まで動作することが無いため、複数回編集をおこなう場合はエンコードの演算動作が省略できる。
【００１７】
さらに、本実施形態では、音声信号のアフレコについて説明したが、これに限定するものではない。本発明は、映像をアフレコする場合、あるいは音声映像両方を何度も撮影し直す場合にも、有効な方法である。
【００１８】
次に、一旦映像と音声を多重化して保存後に、映像あるいは音声を多重化する場合について、説明する。図３に示すように、読み出した映像音声ファイル１４を分離化回路４で分離したのうち、映像データを映像ファイル１２に、音声データを音声ファイル１３に記録する。この方式では、一度保存した映像音声ファイルであっても、一度分離化４を動作させるだけで、消費電力を抑制しつつ、何度もアフレコ動作及び確認動作を行うことができる。
【００１９】
以上、本発明を記録装置に適用した場合について説明したが、これを通信機能を有する携帯端末装置に適用しても良い。携帯端末装置は、前述のように記録容量および消費電力が制限されるため、本発明の適用は有効である。
【００２０】
また、図４に示した実施形態では、マイク部８の出力信号のレベルを変化させるためのレベル変換手段２１を設け、アフレコ時のマイク感度と通話時のマイク感度を変更する。通常の電話での会話時と異なり、アフレコによって音声入力する場合、電話機のディスプレイを見ながら行うことになりマイクと口の間隔が会話時よりは長くなる。そのため、マイクへ入力される音圧レベルが低下し、録音する音声のレベルが低下する恐れがある。前記レベル変換手段２１を設けることにより、音声レベルの低下を防止し、マイクを録音時と通話時で兼用することができる。
【００２１】
【発明の効果】
以上説明したように、本発明によれば、消費電力を抑制しつつ、容易にアフレコをすることが可能な携帯通信装置を提供することができる。
【図面の簡単な説明】
【図１】本発明の実施形態にかかる記録装置を示すブロック図である。
【図２】映像音声ファイルの構成図である。
【図３】本発明の実施形態にかかる記録装置を示すブロック図である。
【図４】本発明の実施形態にかかる記録装置を示すブロック図である。
【符号の説明】
１  映像エンコーダ
２  音声エンコーダ
３  多重化回路
４  分離化回路
５  映像デコーダ
６  音声デコーダ
７  カメラ
８  マイク
９  ディスプレイ
１０  スピーカ
１１  メモリ
１２  映像ファイル
１３  音声ファイル
１４  映像音声ファイル
１５、１７、１９  映像パケット
１６、１８、２０  音声パケット
２１  レベル変換手段
３０  多重化指示手段
【図１】
0004103361.tif 000002
【図２】
0004103361.tif 000003
【図３】
0004103361.tif 000004
【図４】
0004103361.tif 000005